(57)【要約】【課題】主として、自動釘打ち機などの、手の甲部の親指と人差し指との間部分にも大きな振動が加わる工具を使用する際に効果的な作業用防振手袋を提供する。【解決手段】主として、自動釘打ち機などの、手の甲部３の親指と人差し指の間部分にも大きな振動が加わる工具を使用する際に着用する作業用の防振手袋であって、メリヤス手袋１における掌部２の中央部分２ｂを除く部分である掌本体部２ａと、五指部１０の、少なくとも、関節部分１０ｂの一部または全部を除く部分である指本体部１０ａと、甲部３の親指と人差し指の間部分である中間部３ａに、防振材４を、ホットメルトシート５を介して熱融着した被覆布６で覆って設ける。【選択図】      図３
2004197235.tif 000002
【特許請求の範囲】
【請求項１】
主として，自動釘打ち機などの，手の甲部（３）の親指と人差し指の間部分にも大きな振動が加わる工具を使用する際に着用する作業用の防振手袋であって、メリヤス手袋（１）における掌部（２）の中央部分（２ｂ）を除く部分である掌本体部（２ａ）と，五指部（１０）の，少なくとも，関節部分（１０ｂ）の一部または全部を除く部分である指本体部（１０ａ）と，甲部の親指と人差し指の間部分である中間部（３ａ）に，防振材（４）で覆って設けてなる作業用防振手袋。
【請求項２】
主として，自動釘打ち機などの，手の甲部（３）の親指と人差し指の間部分にも大きな振動が加わる工具を使用する際に着用する作業用の防振手袋であって、メリヤス手袋（１）における掌部（２）の中央部分（２ｂ）を除く部分である掌本体部（２ａ）と，五指部（１０）の，少なくとも，関節部分（１０ｂ）の一部または全部を除く部分である指本体部（１０ａ）と，甲部の親指と人差し指の間部分である中間部（３ａ）に，防振材（４）を，ホットメルトシート（５）を介して熱融着した被覆布（６）で覆って設けてなる作業用防振手袋。
【発明の詳細な説明】
【０００１】
【発明の属する技術分野】本発明は、主として、自動釘打ち機やフローリングタッカー等の、手の甲部の親指と人差し指の間部分にも大きな振動が加わる工具を使用する際に、使用者の手に伝わる振動を緩和するために着用する作業用の防振手袋に関するものである。
【０００２】
【従来の技術】従来から、チェーンソーや削岩機等の振動を発する工具を手で掴んで使用する際に、その振動が身体に与える弊害を防止するために、当該振動を緩和するための作業用防振手袋が着用されている。この作業用防振手袋は、皮やゴム製の手袋本体の掌側全体にわたって防振材を一体的に設けて厚手に構成されている。
【０００３】
【発明が解決しようとする課題】しかし、この従来の作業用防振手袋は、防振材が一体的に設けられ、全体が厚手に構成されているため、手の動きに対して屈曲し難いと共にフィット感に欠けるものであった。そのため、工具を掴み難いといった問題や、工具のスイッチ操作が行い難いといった問題があり、作業性に問題があった。
【０００４】
また、この従来の作業用防振手袋は、主として、チェーンソーや削岩機を使用する際に着用するように作られているので、例えば、自動釘打ち機を使用する場合には十分な防振効果を発揮することができない。すなわち、自動釘打ち機を使用すると、その機械の構造上、大きな振動が、掌部のみでなく、甲部の親指と人差し指の間部分にも加わるが、従来の防振手袋は、その間部分に防振材を設けていないので、振動を抑制することができず、作業者を効果的に保護することができない。
【０００５】
本発明はこうした問題に鑑み創案されたもので、主として、自動釘打ち機などの、手の甲部の親指と人差し指との間部分にも大きな振動が加わる工具を使用する際に効果的な作業用防振手袋を提供することを課題とする。
【０００６】
【課題を解決するための手段】図１乃至図４を参照して説明する。請求項１の発明は、主として、自動釘打ち機などの、手の甲部３の親指と人差し指の間部分にも大きな振動が加わる工具を使用する際に着用する作業用の防振手袋であって、メリヤス手袋１における掌部２の中央部分２ｂを除く部分である掌本体部２ａと、五指部１０の、少なくとも、関節部分１０ｂの一部または全部を除く部分である指本体部１０ａと、甲部３の親指と人差し指の間部分である中間部３ａに、防振材４で覆って設けてなるものである。
【０００７】
請求項２の発明は、主として、自動釘打ち機などの、手の甲部３の親指と人差し指の間部分にも大きな振動が加わる工具を使用する際に着用する作業用の防振手袋であって、メリヤス手袋１における掌部２の中央部分２ｂを除く部分である掌本体部２ａと、五指部１０の、少なくとも、関節部分１０ｂの一部または全部を除く部分である指本体部１０ａと、甲部３の親指と人差し指の間部分である中間部３ａに、防振材４を、ホットメルトシート５を介して熱融着した被覆布６で覆って設けてなるものである。
【０００８】
【発明の実施の形態】本発明に係る作業用防振手袋の実施形態を、図１乃至図４に示す。この防振手袋は、空気圧を利用した自動釘打ち機を使用する際に着用するものであり、メリヤス手袋１の内面側の必要部分に、防振材４を、ホットメルトシート５を介して熱融着した被覆布６で覆って設けている。なお、この防振材４は、メリヤス手袋１の外面側に設けることもできる。
【０００９】
前記必要部分とは、メリヤス手袋１における掌部２の中央部分２ｂを除く部分である掌本体部２ａである。また、五指部１０の関節部分１０ｂの一部（両側端部）を除く部分、および当該五指部１０のうち、親指部１１の第一関節、人差し指部１２の第二関節、中指部１３の第一関節、および薬指部１４の第一関節より先部分を除く部分である指本体部１０ａである。さらに、甲部３の親指部１１と人差し指部１２の間部分である中間部３ａである。
【００１０】
なお、掌部２の中央部分２ｂは、当該掌部２が屈曲する部分であって、ほぼ感情線と生命線とで囲まれた部分であり、略十字星形状である。防振材４は軟質ゴムで構成している。被覆布６は、メリヤス編ジャージ製であり、軟質で伸縮性に優れる。更に、甲側の防振材には、強度の優れるアラミド繊維で織った織布とか鎖とか、屈曲性を阻害しない網状の金属材をはさみ込めば切創防止機能を附加する事が出来る。メリヤス手袋１は、編手と縫手のいずれを使用しても良い。
【００１１】
この作業用防振手袋は、その掌部２においては、中央部分２ｂを除く部分である掌本体部２ａと、五指部１０の関節部分１０ｂの一部等を除く部分である指本体部１０ａにのみ防振材４を設けているので、手の動きに応じて容易に屈曲する。従って、工具を掴み易く、作業性に優れる。
【００１２】
また、防振材４を甲部３の親指部１１と人差し指部１２の間部分である中間部３ａに設けているので、自動釘打ち機からこの中間部３ａに加わる振動を効果的に吸収し、作業者の手および身体を有効に保護することができる。
【００１３】
なお、本実施形態においては、五指部１０のうち、親指部、人差し指部１２、中指部１３および薬指部１４の指先部分には防振材４を設けず、小指部１５のみに指先まで防振材４を設けているが、本発明は、こうした形態に限定されるものでなく、必要に応じて設ける。
【００１４】
着用の際には、外手袋をはめて、インナーとして用いる事も出来るが、手袋本体１の甲部及び掌部に衝撃吸収材を緩衝しない範囲で滑り止め剤を被覆し、滑り止め効果の向上を計る為にゴム液を塗布したりゴムシートを貼着する事も出来る。
【００１５】
また、本発明は、自動釘打ち機のみでなく、手の甲部３の親指と人差し指の間部分に振動が加わる他の工具（例えばフローリングタッカー）を使用する際にも同様に有効である。さらに、チェンソーや削岩機等の他の振動を発する工具を使用する場合にも効果的である。
【００１６】
【発明の効果】本発明に係る作業用防振手袋は、その掌部２においては、中央部分２ｂを除く部分である掌本体部２ａと、五指部１０の関節部分１０ｂの一部等を除く部分である指本体部１０ａにのみ防振材４を設けているので、手の動きに応じて容易に屈曲することができる。従って、工具を掴み易く、作業性が向上する。
【００１７】
また、防振材４を甲部３の親指と人差し指の間部分である中間部３ａに設けているので、自動釘打ち機等の工具からこの中間部３ａに加わる振動を効果的に吸収し、作業者の手や身体を有効に保護することができる。
【図面の簡単な説明】
【図１】本発明の作業用防振手袋の実施形態を示す正面図（甲部側）である。
【図２】図１のＸ−Ｘ線断面図である。
【図３】図１に示す防振手袋の背面図（掌部側）である。
【図４】図３のＹ−Ｙ線断面図である。
【符号の説明】
１        メリヤス手袋
２        掌部
２ａ      掌本体部
２ｂ      中央部分
３        甲部
３ａ      中間部
４        防振材
５        ホットメルトシート
６        被覆布
１０      五指部
１０ａ    指本体部
１０ｂ    関節部分
１１      親指部
１２      人差し指部
１３      中指部
１４      薬指部
１５      小指部
【図１】
2004197235.tif 000003
【図２】
2004197235.tif 000004
【図３】
2004197235.tif 000005
【図４】
2004197235.tif 000006